(57)【要約】【課題】  グラウンドゴルフ等において、スタートコースの番号を示すための数字を、どの方向からも見やすくしたスタート表示体を提供する。【解決手段】  基板（２）に３つの二等辺三角形形状の表示板部（３）を設ける。この表示板部（３）の表面にスタートコースの番号を示す数字（４）を表示する。両端に存する表示板部（３）には、止着片（５）がある。この止着片（５）を用いて両端の表示板部（３）の側辺を連結すると、他の表示板部（３）の側辺は屈曲可能な折曲部（７）で構成されているから、全体が三角錐形状に組み立てられ、周囲から数字（４）がみやすいスタート表示体（１）となる。【選択図】      図１
0003110138.tif 000002
【実用新案登録請求の範囲】
【請求項１】
二等辺三角形形状の表示板部を３つ以上有し、各表示板部にスタートコースの番号を示す数字を表示し、両端に存する表示板部の側辺を連結したとき多角錐形状の表示体が形状されるよう隣接する表示板部の側辺を屈曲可能な折曲部で連結したことを特徴とするグラウンドゴルフ等のスタート表示体。
【請求項２】
上記表示板部と折曲部は別体に形成され、該折曲部を介して表示板部を連結している請求項１に記載のグラウンドゴルフ等のスタート表示体。
【請求項３】
上記表示板部は、芯体の外面を柔軟性のあるシート素材で覆って形成され、上記折曲部は該シート素材により表示板部と一体的に形成されている請求項１に記載のグラウンドゴルフ等のスタート表示体。
【請求項４】
上記表示板部は、厚紙、板紙等の紙材料、プラスチック材料等の板状の材料で形成され、上記折曲部は表示板部の側辺と一体的に形成されている請求項１に記載のグラウンドゴルフ等のスタート表示体。
【請求項５】
上記表示板部は、表面が透視性のあるカバーで覆われた収納部を有し、上記スタートコースの番号を示す数字は番号表示片に表示され、該番号表示片を上記収納部に収納した請求項１に記載のグラウンドゴルフ等のスタート表示体。
【請求項６】
上記表示板部は、下部に支持部材を保持するための取付部を有する請求項１に記載のグラウンドゴルフ等のスタート表示体。
【考案の詳細な説明】
【技術分野】
【０００１】
本考案は、グラウンドゴルフ等のように、複数設けられたコースを順次巡ってプレイする競技において、各コースのスタート位置を表示するためのスタート表示体に関する。
【背景技術】
【０００２】
ゴルフやグラウンドゴルフ等の競技は、複数のコースを使用するので、各コースにはそのコースの番号を示す数字を表示したスタート表示板が設けられている。特にグラウンドゴルフでは、専用のコースを用意しなくても、適宜の運動場、空き地、河原等の広い場所や狭い場所等に手軽にコースを設定することができるので、スタートコースの番号を表示するスタート表示板は、持ち運び可能に形成されていることが多い。従来、グラウンドゴルフ用のスタート表示板としては、金属板を山形状に２つ折りして表面に数字を表示した立体的なものや、枠線とカバーで山形状に展開したり平らに折り畳みできその表面に数字を表示したものが知られているが、山形状の表面に表示された数字は、前後方向から数字を読めるが、斜め方向からは見にくい欠点があった。
【０００３】
そのような欠点を改善するよう多方向から番号数字を読み取れるようにしたスタート表示板を、本出願人は提案した（特許文献１参照）。このスタート表示板は、三角錐形状に形成されているので、種々の方向から数字をみることができるが、フレームと表示シート体を組み合せて構成されているので、構造が複雑になり、経済的に得にくい。また、従来のスタート表示板は、例えば１〜１２のコース番号の数字を色違いで印刷した複数種の完成された表示板を用意しなければならないので、多数の在庫を必要とした。
【特許文献１】登録実用新案第３１０５２９９号公報（実用新案登録請求の範囲、図１〜図４）
【考案の開示】
【考案が解決しようとする課題】
【０００４】
本考案の解決課題は、グラウンドゴルフ等において、スタートコースの番号を表示する数字がどの方向からも良くみえ、構造が簡単で組み立ても容易であり、経済的に得られるようにしたグラウンドゴルフ等のスタート表示体を提供することであり、また番号違いや色違いの数字でも簡単に交換できるようにして在庫を減少できるようにしたグラウンドゴルフ等のスタート表示体を提供することである。
【課題を解決するための手段】
【０００５】
本考案によれば、二等辺三角形形状の表示板部を３つ以上有し、各表示板部にスタートコースの番号を示す数字を表示し、両端に存する表示板部の側辺を連結したとき多角錐形状の表示体が形状されるよう隣接する表示板部の側辺を屈曲可能な折曲部で連結したことを特徴とするグラウンドゴルフ等のスタート表示体が提供され、上記課題が解決される。
【０００６】
また、本考案によれば、上記スタート表示体の折曲部は、表示板部と一体若しくは別体に形成され、上記表示板部は、芯体の表面を柔軟性のあるシート素材で覆ったり、紙材料、プラスチックシート材料、金属板材料等で形成される。また、上記表示板部に透視性のある収納部を形成すると共に上記スタートコースの番号を示す数字を番号表示片に形成し、該番号表示片を収納部に差し込むようにしたり、表示板部に支持部材を保持するための取付部が設けられる。
【考案の効果】
【０００７】
本考案は上記のように構成されているので、隣接する表示板部を折曲部で折り曲げ、両端に存する表示板部の側辺を連結すると、多角錐形状の表示体が形成され、３つの表示板部で構成すれば三角錐形状になり、４つの表示板部では四角錐形状、５つの表示板部では五角錐形状等々所望の多角錐形状の表示体が得られ、その各表示板部にスタートコースの番号を示す数字が表示されているから、周囲からみてもスタートコースの番号数字を容易に読み取ることができ、組み立て分解も容易であり、構造が簡単で経済的に得ることができる。
【０００８】
また、上記表示板部に、透視性のあるカバーで覆われた収納部を形成し、スタートコースの番号数字を番号表示片に表示し、該番号表示片を上記収納部に収納するようにすれば、色違いの数字を表示した番号表示片を、表示体の本体とは別に複数用意しておくことにより、該当する番号表示片を挿入したり、簡単に取り替えることにより所望のスタート表示体を構成することができ、スタート表示体の在庫を少なくできる。なお、風が強い場所等で使用する際は，表示板部に設けた取付部に鉄の棒やパイプ、石等を挿入して重くしたり、ピン等を挿し込んで地面に固定すればよい。
【考案を実施するための最良の形態】
【０００９】
図１はスタート表示体を三角錐形状にした本考案の一実施例を示し、（Ａ）は組み立てた状態の斜視図、（Ｂ）は展開した状態の平面図である。図において、スタート表示体（１）を構成する基板（２）は、二等辺三角形形状の表示板部（３）を３つ有し、該表示板部（３）には印刷、転写、型押、貼付その他適宜の方法によりスタートコースの番号を示す数字（４）が表示されている。該基板（２）の端縁には、ホック、面ファスナー、ボタン、掛止片その他適宜の止着片（５）を形成してあり、該止着片により両端に存する表示板部（３）の側辺（６）を連結したとき、（Ａ）に示す如き三角錐形状の表示体（１）が形成されるよう隣接する表示板部（３）の側辺（６）を屈曲可能な折曲部（７）で連結している。そして、上記止着片（５）を外すことにより、（Ｂ）に示すような平らな基板（２）となる。なお、上記止着片は、表示板部と別体に設けられたクリップ、バンド、テープ等であってもよい。
【００１０】
上記基板（２）は、複数の、図に示す実施例では３つの表示板部を有するが、この表示板部は、それぞれ独立に形成してこれらの表示板部を別部材で構成した折曲部を用いて連結したり、１枚の基板に連続的に３つの表示板部を設け、該表示板部を一体的な折曲部で連結して構成することができる。
【００１１】
図２に示す実施例では、独立した表示板部で構成する一実施例を示し、厚紙、板紙、木板、プラスチック板、鉄板その他適宜の板状の材料で３つの表示板部（３）を形成し、該表示板部（３）の側辺（６）をプラスチック材料その他の柔軟性材料で形成したヒンジ片（８）や適宜の蝶番片（図示略）で連結し、該ヒンジ片（８）等を折曲部（７）としてある。
【００１２】
図３に示す実施例は、一体的な折曲部を有する一実施例を示している。図において、表示板部は、厚紙、板紙、木板、プラスチック板、鉄板その他の板状の材料で二等辺三角形形状に形成された３つの芯体（９）を作り、これらの芯体の表面をやわらかい布、不織布、プラスチックフィルム若しくはシート等の柔軟性のあるシート素材（１０）で覆って構成され、側辺部分の布等に縫線を設けたり（図示略）、図に示すようにプラスチックフィルム若しくはシートを溶着して屈曲可能な折曲部（７）を形成してある。
【００１３】
また、図４に示す実施例は、１枚の材料で構成した実施例であり、厚紙、板紙等の紙材料、プラスチック材料等の板状の材料で基板（２）を形成し、側辺部分を型押して肉薄に形成したり、折線を形成することにより二等辺三角形形状の表示板部（３）を形成すると共に屈曲可能な折曲部（７）を形成している。
【００１４】
図５は、四角錐形状のスタート表示体（１１）の実施例であり、この場合には、基板（１２）は二等辺三角形形状の表示板部（３）を４つ有し、その他は上記実施例とほぼ同様に構成される。このように、表示板部を５つ、６つ、・・・とすれば、五角錐形状や六角錐形状その他の多角錐形状のスタート表示体が得られる。
【００１５】
上述したように、各表示板部の表面には印刷、転写その他適宜の方法で番号違いや色違いの数字（４）を直接表示してあるが、該数字（４）をスタート表示体の本体と別体に作って組み合せることもできる。図６、図７は、数字（４）を別体に設ける場合の一実施例を示し、上記表示板部（３）には、表面を透視性を有するプラスチックフィルム又はシート等のカバー（１３）で覆われた収納部（１４）が形成され、一端に挿入口（１５）が設けられている。一方、番号違いや色違いの数字（４）は、番号表示片（１６）に表示されており、該番号表示片（１６）を上記収納部（１４）に収納することにより所望の数字（４）を表示することができる。なお、図に示す実施例では、表示板部（３）の側辺（６）に沿ってカバー（１３）を溶着、接着等により固定し、下縁（１７）を開口して表示板部（３）のほぼ全面を収納部（１４）としてあるが、表示板部（３）の一部に収納部を形成してもよい。
【００１６】
スタート表示体（１）、（１１）を使用するコースが、風の強い場所のときには、該スタート表示体が倒れないよう構成することが好ましい。図８、図９は、そのような場所で好適に使用できるよう表示板部の下部に適宜の支持部材を保持するための取付部を設けた実施例で、図８に示す実施例では、袋状の取付部（１８）を形成してある。この取付部（１８）に、鉄の棒、パイプ、石その他の支持部材（１９）を挿入すれば、スタート表示体（１）、（１１）を重くすることができる。
【００１７】
図９に示す実施例では、耳片状の取付部（２０）を形成し、該取付部（２０）に設けた取付孔（２１）にピン（２２）を挿通させて地面に固定したり、該取付部に重りを載せて固定できるようにしてある。なお、図８、図９に示す実施例では、表示板部（３）の表面にシート材料（２３）を接着、溶着等して上記取付部（１８）、（２０）を設けているが、該表示板部（３）の下縁等を延長して一体的に取付部（１８）、（２０）を形成したり、表示板部の裏面側に取付部を設けてもよい。
【図面の簡単な説明】
【００１８】
【図１】本考案の一実施例を示し、（Ａ）は組み立てた状態の斜視図、（Ｂ）は展開した状態の平面図。
【図２】一部の拡大断面図。
【図３】一部の拡大断面図。
【図４】一部の拡大断面図。
【図５】本考案の他の実施例を示し、（Ａ）は組み立てた状態の斜視図、（Ｂ）は展開した状態の平面図。
【図６】他の実施例を示す説明図。
【図７】図６の一部の拡大断面図。
【図８】他の実施例を示す説明図。
【図９】さらに他の実施例を示す説明図。
【符号の説明】
【００１９】
１    スタート表示体
２    基板
３    表示板部
４    数字
５    止着片
６    側辺
７    折曲部
９    芯体
１０    シート素材
１３    カバー
１４    収納部
１６    番号表示片
１８、２０    取付部
【図１】
0003110138.tif 000003
【図２】
0003110138.tif 000004
【図３】
0003110138.tif 000005
【図４】
0003110138.tif 000006
【図５】
0003110138.tif 000007
【図６】
0003110138.tif 000008
【図７】
0003110138.tif 000009
【図８】
0003110138.tif 000010
【図９】
0003110138.tif 000011